(57)【要約】【課題】  使用現場での組み立てを容易に行うことができるパレットを提供する。【解決手段】  パレット本体１１と、パレット本体１１の下面に設けられる複数のケタ１２とを備える段ボール製のパレット１０であって、パレット本体１１は、矩形状の底部１１１と、底部１１１の対向する２辺に沿ってそれぞれ複数設けられた蓋部１１２とを備え、ケタ１２は、両端が開口する筒状に形成されており、蓋部１１２は、底部１１１に接続されてケタ１２の開口を覆うように起立される蓋部本体１１２ａと、蓋部本体１１２ａに接続されて折り曲げによりケタ１２の開口に挿入されるフラップ１１２ｂとを備える。【選択図】  図５
2019001487.tif 000002
【特許請求の範囲】
【請求項１】
パレット本体と、前記パレット本体の下面に設けられる複数のケタとを備える段ボール製のパレットであって、
前記パレット本体は、矩形状の底部と、前記底部の対向する２辺に沿ってそれぞれ複数設けられた蓋部とを備え、
前記ケタは、両端が開口する筒状に形成されており、
前記蓋部は、前記底部に接続されて前記ケタの開口を覆うように起立される蓋部本体と、前記蓋部本体に接続されて折り曲げにより前記ケタの開口に挿入されるフラップとを備えるパレット。
【請求項２】
前記パレット本体の上面に設けられるトレーを更に備えており、
前記トレーは、前記パレット本体から起立する差込片が挿入される挿入部を備え、段目方向が前記トレーの段目方向と直交するように配置される請求項１に記載のパレット。
【請求項３】
請求項１または２に記載のパレットと、前記パレットの上部に設けられる胴巻きと、前記胴巻きの上部を覆う上蓋とを備える梱包箱。
【請求項４】
前記胴巻きは、一対の矩形状の分割体をコ字状に折り曲げて、両端に形成された係合部同士を係合させることにより構成され、
前記係合部は、前記分割体の上下縁と平行な中央線と直交する切込部と、前記分割体の上下縁の一方から前記切込部の一方端に連続するガイド溝とを有する請求項３に記載の梱包箱。
【発明の詳細な説明】
【技術分野】
【０００１】
本発明は、パレットおよび梱包箱に関し、より詳しくは、段ボール製のパレットおよびこれを備える梱包箱に関する。
【背景技術】
【０００２】
重量物の運搬や保管を行う場合に、パレット上に搭載した重量物を梱包することが、従来から広く行われている。パレットの材質として、以前は木製のものが使用されていたが、軽量化や低コスト化などのため、最近では段ボール製のものが多く使用されている。
【０００３】
例えば、特許文献１には、複数の桁部が下面に形成されたパレット部と、パレット部の上側に設けられる胴枠体と、胴枠体の上部を覆う蓋部とを備える段ボール製の梱包箱が開示されている。パレット部は、パレット本体の下面に板部が貼り付けられており、この板部に複数の桁部が貼り付けられている。また、胴枠体は、一枚の段ボール材を、枠状となるように四つ折りにして、端部同士を接着剤で接着することにより形成されている。
【先行技術文献】
【特許文献】
【０００４】
【特許文献１】特開２０１６−１０８０２１号公報
【発明の概要】
【発明が解決しようとする課題】
【０００５】
上記従来の梱包箱は、パレット部や胴枠体の組み立てに接着剤が必要になるため、ユーザが現場で組み立てを行う場合には、作業が困難で煩雑になるという問題があった。一方、パレット部や胴枠体を予め組み立てた状態で現場に提供する場合には、嵩張るために輸送コストや在庫スペースが増大するという問題があった。
【０００６】
そこで、本発明は、使用現場での組み立てを容易に行うことができるパレットおよび梱包箱の提供を目的とする。
【課題を解決するための手段】
【０００７】
本発明の前記目的は、パレット本体と、前記パレット本体の下面に設けられる複数のケタとを備える段ボール製のパレットであって、前記パレット本体は、矩形状の底部と、前記底部の対向する２辺に沿ってそれぞれ複数設けられた蓋部とを備え、前記ケタは、両端が開口する筒状に形成されており、前記蓋部は、前記底部に接続されて前記ケタの開口を覆うように起立される蓋部本体と、前記蓋部本体に接続されて折り曲げにより前記ケタの開口に挿入されるフラップとを備えるパレットにより達成される。
【０００８】
このパレットは、前記パレット本体の上面に設けられるトレーを更に備えることが好ましく、前記トレーは、前記パレット本体から起立する差込片が挿入される挿入部を備え、段目方向が前記トレーの段目方向と直交するように配置されることが好ましい。
【０００９】
また、本発明の前記目的は、上述したパレットと、前記パレットの上部に設けられる胴巻きと、胴巻きの上部を覆う上蓋とを備える梱包箱により達成される。
【００１０】
この梱包箱において、前記胴巻きは、一対の矩形状の分割体をコ字状に折り曲げて、両端に形成された係合部同士を係合させることにより構成されることが好ましく、前記係合部は、前記分割体の上下縁と平行な中央線と直交する切込部と、前記分割体の上下縁の一方から前記切込部の一方端に連続するガイド溝とを有することが好ましい。
【発明の効果】
【００１１】
本発明によれば、使用現場での組み立てを容易に行うことができるパレットおよび梱包箱を提供することができる。
【図面の簡単な説明】
【００１２】
【図１】本発明の一実施形態に係る梱包箱の斜視図である。
【図２】本発明の一実施形態に係るパレットの斜視図である。
【図３】図２に示すパレットの展開図である。
【図４】図２に示すパレットの組立工程を説明するための斜視図である。
【図５】図２に示すパレットの他の組立工程を説明するための斜視図である。
【図６】図２に示すパレットの更に他の組立工程を説明するための斜視図である。
【図７】図１に示す梱包箱が備える胴巻きの分解側面図である。
【図８】図７に示す胴巻きの作用を説明するための斜視図である。
【発明を実施するための形態】
【００１３】
以下、本発明の一実施形態について添付図面を参照して説明する。図１は、本発明の一実施形態に係る梱包箱の斜視図である。図１に示すように、梱包箱１は、パレット１０と、パレット１０の上部に設けられる胴巻き２０と、胴巻き２０の上部を覆う上蓋３０とを備えており、パレット１０に搭載した重量物等の被梱包物の周囲を胴巻き２０で囲み、上方を上蓋３０で閉じて梱包用バンド４０を上下に掛けることにより、物品を梱包することができる。パレット１０、胴巻き２０および上蓋３０は、いずれも段ボール製であり、例えば、中芯が１層の強化段ボールから構成することが好ましい。
【００１４】
図２は、図１に示す梱包箱１が備えるパレット１０の斜視図である。パレット１０は、パレット本体１１の下面に、複数のケタ１２が間隔をあけて配置されており、パレット本体１１の上面にはトレー１３が搭載されている。
【００１５】
図３（ａ）〜（ｃ）は、図２に示すパレット１０が備えるパレット本体１１、ケタ１２およびトレー１３の展開図である。図３（ａ）に示すように、パレット本体１１は、矩形状の底部１１１と、底部１１１の対向する２辺（長辺）に沿ってそれぞれ複数設けられた蓋部１１２とを備えている。蓋部１１２は、底部１１１の縁部に折り曲げ可能に接続された矩形状の蓋部本体１１２ａと、蓋部本体１１２ａの底部１１１との接続辺を除く３辺にそれぞれ折り曲げ可能に接続されたフラップ１１２ｂとを備えており、隣接する蓋部１１２同士が互いに間隔をあけて配置されている。また、底部１１１の対向する他の２辺（短辺）には、側方に突出して折り曲げ可能な差込片１１３がそれぞれ形成されている。差込片１１３は、本実施形態では左右に分割された形状としているが、形状は特に限定されるものではない。
【００１６】
図３（ｂ）に示すように、ケタ１２は、矩形状の段ボールシートからなり、底部１２１と、底部１２１の両側に折り曲げ可能にそれぞれ接続された側部１２２と、側部１２２に折り曲げ可能に接続された上部１２３と、上部に折り曲げ可能に接続された接合部１２４とを備えている。一方側の接合部１２４には係合片１２４ａが形成され、他方側の上部１２３には切欠部１２３ａが形成されており、底部１２１および各接合部１２４には、それぞれ複数のスリット１２１ａ，１２４ｂが形成されている。ケタ１２は、底部１２１の両側で側部１２２、上部１２３および接合部１２４をそれぞれ同じ方向に折り曲げて、接合部１２４の表面同士を接合することにより、図４（ａ）に示すように、両端が開口する筒状に形成することができ、係合片１２４ａを切欠部１２３ａに挿入して係合させることにより、ケタ１２を筒状に保持することができる。図４（ｂ）に示すように、筒状のケタ１２の底部１２１を上に向けることで露出する各スリット１２１ａには、両端にスリット１２６ａを有する補強板１２６を２つ折りにして挿入することができ、補強板１２６のスリット１２６ａが、各接合部１２４のスリット１２４ｂに係合することにより、図４（ｃ）に示すように、各補強板１２６がケタ１２の内部に装着されて、ケタ１２を補強することができる。
【００１７】
図３（ｃ）に示すように、トレー１３は、パレット本体１１の底部１１１と略同じ形状・大きさの底部１３０と、底部１３０の各辺に折り曲げ可能に接続された４つの側壁１３１とを備えており、各側壁１３１を起立させて、係止片１３１ａを係合溝１３１ｂに係合させることにより、容器状に形成することができる。底部１３０の対向する２辺（短辺）の中央には、切込状の挿入部１３２が形成されている。上記のトレー１３の構成は、図１に示す上蓋３０の構成と同様である。
【００１８】
上記の構成を備えるパレット１０は、図５（ａ）に示すように、パレット本体１１の下面（図の上側）における両側の蓋部１１２，１１２の間にケタ１２をそれぞれ配置し、蓋部本体１１２ａを折り曲げてケタ１２の開口を覆うと共に、フラップ１１２ｂを折り曲げてケタ１２の開口に挿入することにより、蓋部１１２，１１２がケタ１２の両側を支持する。
【００１９】
本実施形態のケタ１２は、図５（ｂ）に要部拡大斜視図で示すように、筒状の内部中央で接合部１２４，１２４同士が互いに接合されて補強されており、接合部１２４，１２４との干渉を防止するための逃げ溝１１２ｃがフラップ１１２に形成されている。ケタ１２の形状は、両端に開口を有するものであれば特に限定されず、例えば、一般的な角筒状であってもよい。
【００２０】
こうして、各ケタ１２をパレット本体１１の下面に取り付けた後、図６に示すように、パレット本体１１の差込片１１３，１１３を起立させて、トレー１３の挿入部１３２，１３２に差し込むことにより、トレー１３がパレット本体１１の上面に固定され、パレット１０の組み立てが完了する。図３（ａ）および（ｃ）に示すように、パレット本体１１およびトレー１３は、段目方向が互いに直交するように重なり合うため、パレット１０の強度を向上させることができる。
【００２１】
このように、本実施形態のパレット１０は、必要な強度を維持しつつ、使用現場において接着剤等を使用することなく容易に組み立てることが可能であり、輸送や保管に必要なコストを低減することができる。また、パレット１０の分解も容易であるため、廃棄時の利便性を高めることができる。
【００２２】
図７は、図１に示す梱包箱１が備える胴巻き２０の分解側面図である。胴巻き２０は、一対の矩形状の分割体２１，２１をコ字状に折り曲げて、両端に形成された係合部２２，２２を係合させることにより構成される。一対の分割体２１，２１は同じ形状を有しており、一方の分割体２１に対して、他方の分割体２１の上下を逆向きにして、組み合わせることができる。
【００２３】
係合部２２は、分割体２１の上下縁と平行な中央線Ｃと直交する切込部２２１と、分割体２１の上下縁の一方から切込部２２１の一方端に連続するガイド溝２２２とを有しており、各係合部２２，２２の切込部２２１，２２１同士を係合させることにより、胴巻き２０を枠状に構成することができる。ガイド溝２２２は、中央線Ｃと直交する方向に一定の幅で形成され、切込部２２１に連続する先端側が先細となっており、基部の端縁側には切欠部２２３が形成されている。
【００２４】
このように構成された胴巻き２０は、パレット１０に搭載した被梱包物の一方側を一方の分割体２１で囲んだ後、被梱包物の他方側を他方の分割体２１で囲む際に、切欠部２２３が形成されていることによって、他方の分割体２１を高く持ち上げることなく分割体２１，２２同士を係合させることができるため、被梱包物が重量物等の大型物品であっても、梱包作業を容易に行うことができる。
【００２５】
また、図８に示すように、切込部２２１，２２１同士の係合により、胴巻き２０の外側Ｏにおいて、矢示の外側方向への位置ずれを防止すると共に、胴巻き２０の内側Ｉにおいて、矢示の内側方向への位置ずれを防止することができるので、胴巻き２０の強度低下を抑制することができる。更に、切込部２２１，２２１の係合箇所の上下にガイド溝２２２，２２２が存在することにより、過度の拘束が防止され、胴巻き２０が外方に膨らむことによる作業性の悪化を回避することができる。胴巻き２０の上記構成は、端縁部でのつぶれが生じ難い１層の強化段ボール製の場合に、特に効果的である。
【符号の説明】
【００２６】
１  梱包箱
１０  パレット
１１  パレット本体
１１１  底部
１１２  蓋部
１１２ａ  蓋部本体
１１２ｂ  フラップ
１１３  差込片
１２  ケタ
１３  トレー
１３２  挿入部
２０  胴巻き
２１  分割体
２２  係合部
２２１  切込部
２２２  ガイド溝
３０  上蓋
Ｃ  中央線
【図１】
2019001487.tif 000003
【図２】
2019001487.tif 000004
【図３】
2019001487.tif 000005
【図４】
2019001487.tif 000006
【図５】
2019001487.tif 000007
【図６】
2019001487.tif 000008
【図７】
2019001487.tif 000009
【図８】
2019001487.tif 000010